(57)【要約】【課題】本発明は、従来にない作用効果を発揮する画期的な熱媒体循環装置を提供することを目的とする。【解決手段】所定高さ位置に配され液状の熱媒体１を収納する収納タンク２と、前記収納タンク２よりも下方位置に配設され、前記収納タンク２に設けた熱媒体導出部２ａから流下導出する前記熱媒体１が流れる熱媒体流路５とを有し、前記熱媒体１が流れる前記熱媒体流路５からの放熱により該熱媒体流路５を配した部位を暖める装置である。【選択図】図１
2009174758.tif 000002
【特許請求の範囲】
【請求項１】
所定高さ位置に配され液状の熱媒体を収納する収納タンクと、前記収納タンクよりも下方位置に配設され、前記収納タンクに設けた熱媒体導出部から流下導出する前記熱媒体が流れる熱媒体流路とを有し、前記熱媒体が流れる前記熱媒体流路からの放熱により該熱媒体流路を配した部位を暖める装置であって、前記熱媒体流路の所定位置に該熱媒体流路の下流側端部から前記収納タンクに前記熱媒体を戻すポンプを設けるとともに、前記熱媒体流路の所定位置にして前記ポンプを設ける位置よりも下流側位置に前記熱媒体流路内にエアを導入するエア導入部を設けたことを特徴とする熱媒体循環装置。
【請求項２】
前記熱媒体流路内にエアを圧送して導入するように前記エア導入部を構成したことを特徴とする請求項１記載の熱媒体循環装置。
【請求項３】
前記熱媒体流路に該熱媒体流路を流れる前記熱媒体を加熱する加熱部を設け、この加熱部は、内部に前記熱媒体流路の一部が配設された状態で熱源により加熱される加熱容体と、この加熱容体の内部に配設され該加熱容体内の熱を保持する保熱材とを有する構造であることを特徴とする請求項１，２のいずれか１項に記載の熱媒体循環装置。
【請求項４】
前記熱媒体流路は前記加熱容体の内底に形成された立ち上がり部に巻回する螺旋状態で前記加熱容体の内部に配設されていることを特徴とする請求項３記載の熱媒体循環装置。
【請求項５】
前記立ち上がり部は前記加熱容体の内底に立ち上がり形成される筒状体であることを特徴とする請求項３，４のいずれか１項に記載の熱媒体循環装置。
【請求項６】
前記保熱材は岩石や鉱石などの耐熱性及び保熱性を有する部材であることを特徴とする請求項３〜５のいずれか１項に記載の熱媒体循環装置。
【請求項７】
前記熱源は炭材であることを特徴とする請求項３〜６のいずれか１項に記載の熱媒体循環装置。
【請求項８】
前記熱媒体に泡を発生する洗剤を添加したことを特徴とする請求項１〜７のいずれか１項に記載の熱媒体循環装置。
【請求項９】
液状の熱媒体を収納する収納タンクと、前記収納タンクに設けた熱媒体導出部から導出する前記熱媒体が流れる熱媒体流路とを有し、前記熱媒体が流れる前記熱媒体流路からの放熱により該熱媒体流路を配した部位を暖める装置であって、前記熱媒体流路の所定位置に該熱媒体流路の下流側端部から前記収納タンクに前記熱媒体を戻すポンプを設けるとともに、前記熱媒体流路の所定位置にして前記ポンプを設ける位置よりも下流側位置に前記熱媒体流路内にエアを導入するエア導入部を設けたことを特徴とする熱媒体循環装置。
【発明の詳細な説明】
【技術分野】
【０００１】
本発明は、熱媒体循環装置に関するものである。
【背景技術】
【０００２】
従来から、熱媒体循環装置として、例えば実開平７−６６１２号に開示される温水暖房装置（以下、従来例）が提案されている。
【０００３】
この従来例は、パイプを適宜配管して成る循環路にポンプを介して温水を循環させる構造であり、温水が流れる循環路からの放熱により該循環路を配した部位（例えば建物の床部分）を暖める構造である。
【０００４】
【特許文献１】実開平７−６６１２号公報
【発明の開示】
【発明が解決しようとする課題】
【０００５】
しかしながら、従来例は、温水を循環させるために高出力のポンプが必要となるためコスト高であり、ひいてはランニングコストも高いという問題点がある。
【０００６】
本発明は、前述した問題点を解消する、従来にない作用効果を発揮する画期的な熱媒体循環装置を提供する。
【課題を解決するための手段】
【０００７】
添付図面を参照して本発明の要旨を説明する。
【０００８】
所定高さ位置に配され液状の熱媒体１を収納する収納タンク２と、前記収納タンク２よりも下方位置に配設され、前記収納タンク２に設けた熱媒体導出部２ａから流下導出する前記熱媒体１が流れる熱媒体流路５とを有し、前記熱媒体１が流れる前記熱媒体流路５からの放熱により該熱媒体流路５を配した部位を暖める装置であって、前記熱媒体流路５の所定位置に該熱媒体流路５の下流側端部から前記収納タンク２に前記熱媒体１を戻すポンプ６を設けるとともに、前記熱媒体流路５の所定位置にして前記ポンプ６を設ける位置よりも下流側位置に前記熱媒体流路５内にエアＡを導入するエア導入部７を設けたことを特徴とする熱媒体循環装置に係るものである。
【０００９】
また、前記熱媒体流路５内にエアＡを圧送して導入するように前記エア導入部７を構成したことを特徴とする請求項１記載の熱媒体循環装置に係るものである。
【００１０】
また、前記熱媒体流路５に該熱媒体流路５を流れる前記熱媒体１を加熱する加熱部８を設け、この加熱部８は、内部に前記熱媒体流路５の一部が配設された状態で熱源10により加熱される加熱容体９と、この加熱容体９の内部に配設され該加熱容体９内の熱を保持する保熱材11とを有する構造であることを特徴とする請求項１，２のいずれか１項に記載の熱媒体循環装置に係るものである。
【００１１】
また、前記熱媒体流路５は前記加熱容体９の内底に形成された立ち上がり部12に巻回する螺旋状態で前記加熱容体９の内部に配設されていることを特徴とする請求項３記載の熱媒体循環装置に係るものである。
【００１２】
また、前記立ち上がり部12は前記加熱容体９の内底に立ち上がり形成される筒状体であることを特徴とする請求項３，４のいずれか１項に記載の熱媒体循環装置に係るものである。
【００１３】
また、前記保熱材11は岩石や鉱石などの耐熱性及び保熱性を有する部材であることを特徴とする請求項３〜５のいずれか１項に記載の熱媒体循環装置に係るものである。
【００１４】
また、前記熱源10は炭材であることを特徴とする請求項３〜６のいずれか１項に記載の熱媒体循環装置に係るものである。
【００１５】
また、前記熱媒体１に泡Ｂを発生する洗剤を添加したことを特徴とする請求項１〜７のいずれか１項に記載の熱媒体循環装置に係るものである。
【００１６】
また、液状の熱媒体１を収納する収納タンク２と、前記収納タンク２に設けた熱媒体導出部２ａから導出する前記熱媒体１が流れる熱媒体流路５とを有し、前記熱媒体１が流れる前記熱媒体流路５からの放熱により該熱媒体流路５を配した部位を暖める装置であって、前記熱媒体流路５の所定位置に該熱媒体流路５の下流側端部から前記収納タンク２に前記熱媒体１を戻すポンプ６を設けるとともに、前記熱媒体流路５の所定位置にして前記ポンプ６を設ける位置よりも下流側位置に前記熱媒体流路５内にエアＡを導入するエア導入部７を設けたことを特徴とする熱媒体循環装置に係るものである。
【発明の効果】
【００１７】
本発明は上述のように構成したから、前述した従来例と異なり、高出力のポンプは不要となり極めて簡易構造となる為、コスト安にして量産性に秀れることになり、ひいてはランニングコストも可及的に低減することができることになるなど従来にない作用効果を発揮する画期的な熱媒体循環装置となる。
【００１８】
また、請求項２記載の発明においては、熱媒体の流れをより一層良好にすることができるなど従来にない作用効果を発揮する画期的な熱媒体循環装置となる。
【００１９】
また、請求項３記載の発明においては、熱媒体流路を流れる熱媒体を良好に加熱することができ、しかも、良好な保温効果が発揮されて熱源からの熱のロスを可及的に抑制することができるなど従来にない作用効果を発揮する画期的な熱媒体循環装置となる。
【００２０】
また、請求項４記載の発明においては、熱媒体の加熱がより一層良好に行われることになるなど従来にない作用効果を発揮する画期的な熱媒体循環装置となる。
【００２１】
また、請求項５記載の発明においては、簡易な構造から熱媒体の加熱がより一層良好に行われることになるなど従来にない作用効果を発揮する画期的な熱媒体循環装置となる。
【００２２】
また、請求項６記載の発明においては、熱媒体を加熱する加熱部における良好な保温効果が得られることになるなど従来にない作用効果を発揮する画期的な熱媒体循環装置となる。
【００２３】
また、請求項７記載の発明においては、安価な構成から製造コストは勿論、ランニングコストも安くなるなど従来にない作用効果を発揮する画期的な熱媒体循環装置となる。
【００２４】
また、請求項８記載の発明においては、熱媒体の流れをより一層良好にすることができるなど従来にない作用効果を発揮する画期的な熱媒体循環装置となる。
【００２５】
また、請求項９記載の発明においては、前述した請求項１と同様の効果を発揮する画期的な熱媒体循環装置となる。
【発明を実施するための最良の形態】
【００２６】
好適と考える本発明の実施形態を、図面に基づいて簡単に説明する。
【００２７】
所定高さ位置に配された収納タンク２の熱媒体１は、該収納タンク２に設けた熱媒体導出部２ａから流下導出し、この流下導出された熱媒体１は熱媒体流路５を流れる。
【００２８】
この熱媒体１が流れる熱媒体流路５からの放熱により該熱媒体流路５を配した部位は暖められる。
【００２９】
本発明は、収納タンク２に収納した熱媒体１を導出して熱媒体流路５を流す構造として、収納タンク２を熱媒体流路５よりも高い所定高さ位置に配した自然エネルギーを利用した構造であるため、極めてコスト安となる。
【００３０】
そして更に、本発明は、熱媒体流路５の所定位置に該熱媒体流路５の下流側端部から収納タンク２に熱媒体１を戻すポンプ６を設けるとともに、熱媒体流路５の所定位置にしてポンプ６を設ける位置よりも下流側位置に熱媒体流路５内にエアＡを導入するエア導入部７を設けており、この構成から熱媒体流路５を流れた熱媒体１を収納タンク２に戻すにあたって前述した従来例のような高出力なポンプを不要とすることができる。
【００３１】
即ち、本発明は、ポンプ６の下流側にエア導入部７からエアＡを導入することで熱媒体流路５内における水の流れが滑らかとなり、また、このエアＡの浮力を収納タンク２へ熱媒体１が戻る（上昇する）際の押し上げ力として発揮せしめることができ、よって、高出力のポンプでなくても十分収納タンク２まで熱媒体１を良好に戻すことができる。この点については、本発明者が行った実験により確認済み。
【００３２】
従って、前述した従来例と異なり、高出力のポンプは不要となり極めて簡易構造となる為、コスト安にして量産性に秀れることになり、ひいてはランニングコストも可及的に低減することができる。
【００３３】
また、本発明は、ポンプ６を設ける位置よりも下流側位置にエア導入部７を設けている為、仮にポンプ６を設ける位置よりも上流側位置にエア導入部７を設けた場合の問題（多くのエアＡがポンプ６に入り込むことによる焼付けやポンプ機能の低下などの問題）が一切生じることなく良好な熱媒体１の送りが達成されることになる。
【００３４】
また、熱媒体流路５内にエアＡを圧送して導入するようにエア導入部７を構成した場合には、このエアＡが熱媒体流路５内における熱媒体１の流れを滑らかにするだけでなく、ポンプ６以外にも熱媒体１を流動せしめる力となる為、出力の小さなポンプ６でも十分収納タンク２まで熱流体１を良好に戻すことができる。
【００３５】
また、熱媒体流路５に該熱媒体流路５を流れる熱媒体１を加熱する加熱部８を設け、この加熱部８は、内部に前記熱媒体流路５の一部が配設された状態で熱源10により加熱される加熱容体９と、この加熱容体９の内部に配設され該加熱容体９内の熱を保持する保熱材11とを有する構造である場合には、加熱部８を通過させるだけで熱媒体流路５を流れる熱媒体１を良好に加熱することができ、しかも、熱源10からの熱を効率良く使用することができる。即ち、この保熱材11が無い場合、熱源10から発せられ熱媒体１に熱交換されなかった（熱交換されずに余った）熱は外気に逃げてしまうが、この点、本発明は、加熱容体９の内部に保熱材11を配設することで、加熱容体９の内部に熱を保持することで熱源10から発せられる熱を熱媒体１を加熱する熱として最大限利用することが可能となり、よって、良好な保温効果が発揮されて熱源からの熱のロスを可及的に抑制することができ、それだけ効率の良い構造であるからコスト安となる。
【００３６】
また、熱媒体流路５は加熱容体９の内底に形成された立ち上がり部12に巻回する螺旋状態で加熱容体９の内部に配設されている場合には、熱媒体１を加熱するための部位（熱媒体流路５及び加熱容体９）の表面積を大きくすることができ、よって、小スペースにて熱媒体１の加熱がより一層良好に行われることになる。
【００３７】
また、立ち上がり部12は加熱容体９の内底に立ち上がり形成される筒状体である場合には、簡易構造でありながら熱媒体１の加熱がより一層良好に行われることになる。
【００３８】
また、保熱材11は岩石や鉱石などの石である場合には、何ら特別なものを使用するのではなく熱媒体１を加熱する加熱部８における良好な保温効果が得られることになる。
【００３９】
また、熱源10は煉炭である場合には、安価な構成から製造コストは勿論、ランニングコストも安くなる。
【００４０】
また、熱媒体１に泡Ｂを発生する洗剤を添加した場合には、熱媒体流路５における熱媒体１の流れをより一層良好にすることができる。
【実施例】
【００４１】
本発明の具体的な一実施例について図面に基づいて説明する。
【００４２】
本実施例は、所定高さ位置に配設され液状の熱媒体１を収納する収納タンク２と、前記収納タンク２よりも下方位置に配設され、前記収納タンク２に設けた熱媒体導出部２ａから流下導出する前記熱媒体１が流れる熱媒体流路５とを有し、前記熱媒体１が流れる前記熱媒体流路５からの放熱により該熱媒体流路５を配した部位を暖めるものである。
【００４３】
尚、本実施例では、図１に図示したように熱媒体流路５を配して暖める部位Ｐとして床などに敷いて使用する敷設体（所謂ホットカーペット）としているが、例えば建物の床（床暖房パネル）であったり風呂（床や湯舟）であったり、屋外の駐車場などの舗装面（融雪面）であっても良いなど、本実施例の特性を発揮する構成であれば適宜採用し得るものである。
【００４４】
具体的には、収納タンク２は、図１に図示したように適宜な金属製の部材で形成した容体であり、所定容量の熱媒体１（水道水）を収納し得るものである。尚、液状の熱媒体１としては不凍液でも良いなど水に限らないのは勿論であり、本実施例では熱媒体１に図示省略の洗剤添加部から泡Ｂを発生する洗剤（市販の食器洗い用洗剤）を添加混入せしめている。
【００４５】
また、収納タンク２の底部には熱媒体導出部２ａが設けられている。
【００４６】
この熱媒体導出部２ａは、後述する熱媒体流路５の基端部が接続されており、収納タンク２が所定高さ位置に適宜配されることで、この熱媒体導出部２ａから収納タンク２よりも下方位置に配設される熱流体流路５に流下導出することになる。
【００４７】
また、収納タンク２の上部開口部には蓋体が設けられており、この蓋体には後述する熱媒体流路５の先端部が貫通配設されて熱媒体導入部２ｂが設けられている。
【００４８】
熱媒体流路５は、図１に図示したように前述した収納タンク２よりも下方位置に適宜なパイプ（ポリプレン樹脂製のパイプ及び金属パイプなど）を配管してなるものである。
【００４９】
具体的には、熱媒体流路５は、収納タンク２の熱媒体導出部２ａに接続され暖める部位Ｐまで延設される往路５Ａと、この往路５Ａの先端が接続され暖める部位Ｐに配される中間路５Ｃと、この中間路５Ｃに基端が接続され先端が収納タンク２の熱媒体導入部２ｂとなる復路５Ｂとで構成されている。
【００５０】
また、熱媒体流路５（往路５Ａ）には、該熱媒体流路５を流れる熱媒体１を加熱する加熱部８が設けられている。
【００５１】
この加熱部８は、図１に図示したように適宜な金属製のボックス状の本体14内に配設され、内部に前記熱媒体流路５の一部（金属パイプ）が配設された状態で熱源10により加熱される複数（一対）の蓋付き加熱容体９と、この加熱容体９の内部に配設され前記熱媒体流路５を加熱し且つ該加熱容体９内の熱を保持する保熱材11とを有する構造である。尚、本体14の上部には排気ダクト14ａが設けられており、この排気ダクト14ａから排気される排気の熱を例えば暖房などに利用することができる。
【００５２】
具体的には、各加熱容体９は、図１に図示したように適宜な金属製の部材で形成した容体であり、装置本体14の内部所定位置に宙吊り状態に設けられ、また、この加熱容体９の内部には熱媒体流路５の一部が貫通状態に配設されている。
【００５３】
また、加熱容体９の内底中央位置には、筒状の立ち上がり部12が立ち上がり形成されており、この立ち上がり部12の周囲を前述した熱媒体流路５の一部が巻回して螺旋状態で配設されている。
【００５４】
また、加熱容体９の内部には、耐熱性と保熱性を具備した岩石や鉱石などの石からなる保熱材11が熱媒体流路５の周囲を被覆するように充填されており、更に、加熱容体９の内部には水15が配設されている（この水15は適宜補充する。）。
【００５５】
従って、後述する熱源10により加熱容体９を加熱した際、加熱容体９自体が高温となるとともに、加熱容体９の内部は水15が蒸発してなる蒸気が充満して高温となり、加熱された立ち上がり部12に巻回される熱媒体流路５は内と外から加熱され、この熱媒体流路５を流れる熱媒体１は加熱される。本実施例では、この加熱部８を通過した熱媒体１が約３０〜４０度に加熱されるように設定されている。尚、加熱容体９の数や大きさは適宜変更し得るものである。
【００５６】
熱源10は、図１に図示したように炭材（煉炭）であり、この煉炭10を本体14の内部下方位置にして前述した各加熱容体９の下方位置に配設されるコンロ16に収納している。
【００５７】
また、本実施例は、図１に図示したように熱媒体流路５（往路５Ａ）の所定位置に該熱媒体流路５の下流側端部（熱媒体導入部２ｂ）から収納タンク２に前記熱媒体１を戻すポンプ６を設けるとともに、図２に図示したように熱媒体流路５の所定位置にして前記ポンプ６を設ける位置よりも下流側位置に熱媒体流路５内にエアＡを導入するエア導入部７を設けている。
【００５８】
本実施例で使用するポンプ６及びエア導入部７は公知の電動構造のものであり、省電力ものが採用されている。
【００５９】
本実施例は上述のように構成したから、所定高さ位置に配された収納タンク２の熱媒体１は、該収納タンク２に設けた熱媒体導出部２ａから流下導出し、この流下導出された熱媒体１は熱媒体流路５を流れる。尚、収納タンク２へは熱媒体１を適宜補充するものであり、この熱媒体１へは前述した泡Ｂを発生する洗剤が添加される。
【００６０】
この熱媒体１が流れる熱媒体流路５からの放熱により該熱媒体流路５を配した部位Ｐは暖められる。
【００６１】
本実施例では、この熱媒体１を熱媒体流路５に流す構造として、収納タンク２を熱媒体流路５よりも高い所定高さ位置に配した自然エネルギーを利用する構造を採用しており、更に、熱媒体流路５の所定位置に該熱媒体流路５の下流側端部（熱媒体導入部２ｂ）から収納タンク２に熱媒体１を戻すポンプ６を設けるとともに、熱媒体流路５の所定位置にしてポンプ６を設ける位置よりも下流側位置に熱媒体流路５内にエアＡを導入するエア導入部７を設けた構造としている。
【００６２】
この構造から、ポンプ６の下流側にエア導入部７からエアＡを導入することで熱媒体流路５内における水の流れが滑らかとなり、また、このエアＡの浮力を収納タンク２へ熱媒体１が戻る（上昇する）際の押し上げ力として発揮せしめることができ、よって、高出力のポンプでなくても十分収納タンク２まで熱媒体１を良好に戻すことができる。
【００６３】
よって、本実施例によれば、前述した従来例と異なり、高出力のポンプは不要となり極めて簡易構造となる為、コスト安にして量産性に秀れることになり、ひいてはランニングコストも可及的に低減することができる。
【００６４】
また、本実施例は、ポンプ６を設ける位置よりも下流側位置にエア導入部７を設けている為、仮にポンプ６を設ける位置よりも上流側位置にエア導入部７を設けた場合の問題（多くのエアＡがポンプ６に入り込むことによる焼付けやポンプ機能の低下などの問題）が一切生じることなく良好な熱媒体１の送りが達成されることになる。
【００６５】
また、本実施例は、熱媒体流路５内にエアＡを圧送して導入するようにエア導入部７を構成したから、このエアＡが熱媒体流路５内における熱媒体１の流れを滑らかにするだけでなく、ポンプ６以外にも熱媒体１を流動せしめる力となる為、出力の小さなポンプ６でも十分収納タンク２まで熱流体１を良好に戻すことができる。
【００６６】
また、本実施例は、熱媒体流路５に該熱媒体流路５を流れる熱媒体１を加熱する加熱部８を設け、この加熱部８は、内部に熱媒体流路５の一部が配設された状態で熱源10により加熱される加熱容体９と、この加熱容体９の内部に配設され該加熱容体９内の熱を保持する保熱材11とを有する構造であるから、加熱部８を通過させるだけで熱媒体流路５を流れる熱媒体１を良好に加熱することができ、しかも、熱源10からの熱を効率良く使用することができる。
【００６７】
また、本実施例は、熱媒体流路５は加熱容体９の内底に形成された立ち上がり部12に巻回する螺旋状態で加熱容体９の内部に配設されているから、熱媒体１を加熱するための部位（熱媒体流路５及び加熱容体９）の表面積を大きくすることができ、よって、小スペースにて熱媒体１の加熱がより一層良好に行われることになる。
【００６８】
また、本実施例は、立ち上がり部12は加熱容体９の内底に立ち上がり形成される筒状体であるから、簡易構造でありながら熱媒体１の加熱がより一層良好に行われることになる。
【００６９】
また、本実施例は、保熱材11は岩石や鉱石などの石であるから、何ら特別なものを使用するのではなく熱媒体１を加熱する加熱部８における良好な保温効果が得られることになる。
【００７０】
また、本実施例は、熱源10は炭材（煉炭）であるから、安価な構成から製造コストは勿論、ランニングコストも安くなる。
【００７１】
また、本実施例は、熱媒体１に泡Ｂを発生する洗剤を添加したから、この泡Ｂがエア導入部７からのエアＡとともに熱媒体１の流れを滑らかにすることになり、熱媒体流路５における熱媒体１の流れをより一層良好にすることができる。
【００７２】
尚、本発明は、本実施例に限られるものではなく、各構成要件の具体的構成は適宜設計し得るものである。
【図面の簡単な説明】
【００７３】
【図１】本実施例の概略動作説明図である。
【図２】本実施例に係る要部の概略動作説明図である。
【符号の説明】
【００７４】
Ａ  エア
Ｂ  泡
１  熱媒体
２  収納タンク
２ａ  熱媒体導出部
５  熱媒体流路
６  ポンプ
７  エア導入部
８  加熱部
９  加熱容体
10  熱源
11  保熱材
12  立ち上がり部
【図１】
2009174758.tif 000003
【図２】
2009174758.tif 000004